(57)【特許請求の範囲】
【請求項１】
上面を開口せる容器状のコンテナ本体の上縁に回転軸への軸受け部の取付けにより蓋を回動自在に装着した合成樹脂製のコンテナにおいて、コンテナ本体の上縁のフランジに切り欠きを設けると共にこの切り欠きにコンテナ本体と一体となるように回転軸を架設し、一対の軸受け半体をヒンジ部を介して一体に連結した軸受け部を蓋の端縁から一体に延出し、上記一対の軸受け半体の一方に主係止突起と補助係止突起とを設けると共に他方に主係止孔と補助係止孔とを設け、ヒンジ部を介した一対の軸受半体で合成樹脂製の回転軸を囲むように重ね合わせて上記主係止突起の主係止縁を主係止孔に係止すると共に補助係止突起の補助係止縁を補助係止孔に係止し、上記主係止縁と補助係止縁とが直交していることを特徴とする蓋付きコンテナ。
【発明の詳細な説明】
【０００１】
【発明の属する技術分野】
本発明は、上面に開閉自在な蓋を設けたコンテナに関し、詳しくは蓋を回動自在に装着する部分の構造に関するものである。
【０００２】
【従来の技術】
従来の蓋付きコンテナにあっては、容器状のコンテナ本体の上のフランジに切り欠きを設け、切り欠きの両側に軸受孔を設け、蓋の端縁に軸受筒を設け、コンテナ本体の切り欠きに蓋の軸受筒を挿入し、軸受孔と軸受筒に亙るように回転軸となる金属のピンを差し込んで組み立ててあった。
【０００３】
【発明が解決しようとする課題】
ところが、上記従来例にあっては、コンテナ本体に蓋を回動自在に装着するために別体のピンを挿通して組み立てており、部品点数が多くなって組み立て性が悪いという問題があり、またピンを挿通するのに工具を使用することとなりこの点でも組み立て性が悪いという問題がある。また別体の金属のピンを使用するために合成樹脂材料のリサイクル再生使用に問題がある（金属のピンを取り外さなければ再生使用できない）。
【０００４】
本発明は叙述の点に鑑みてなされたものであって、組み立て性を向上でき、しかもリサイクル再生使用も容易にできる蓋付きコンテナを提供するにある。
【０００５】
【課題を解決するための手段】
上記課題を解決するために本発明の蓋付きコンテナＡは、上面を開口せる容器状のコンテナ本体１の上縁に回転軸５への軸受部６の取付けにより蓋２を回動自在に装着した合成樹脂製のコンテナにおいて、コンテナ本体１の上縁のフランジ３に切り欠き４を設けると共にこの切り欠き４にコンテナ本体１と一体となるように回転軸５を架設し、一対の軸受け半体６ａ，６ｂをヒンジ部６ｃを介して一体に連結した軸受け部６を蓋２の端縁から一体に延出し、上記一対の軸受け半体６ａ，６ｂの一方に主係止突起７ａと補助係止突起７ｂとを設けると共に他方に主係止孔８ａと補助係止孔８ｂとを設け、ヒンジ部６ｃを介した一対の軸受け半体６ａ、６ｂで合成樹脂製の回転軸５を囲むように重ね合わせて上記主係止突起７ａの主係止縁２７ａを主係止孔８ａに係止すると共に補助係止突起７ｂの補助係止縁２７ｂを補助係止孔８ｂに係止し、上記主係止縁２７ａと補助係止縁２７ｂとが直交していることを特徴とする。一対の軸受半体６ａ，６ｂを展開した状態で軸受部６を回転軸５をくぐるように挿通し、ヒンジ部６ｃで折り曲げて回転軸５を挟むように一対の軸受半体６ａ，６ｂを重ね合わせると共に主係止突起７ａの主係止縁２７ａを主係止孔８ａに係止すると共に補助係止突起７ｂの補助係止縁２７ｂを補助係止孔８ｂに係止して軸受部６を回転軸５の回りに回転自在に装着することができ、また、主係止縁２７ａと補助係止縁２７ｂとが直交していることで、どのような外力でも係止が外れないように確実に係止することができる。これにより従来のように別体のピンを用いたりすることがなく、部品点数を削減できると共に組み立てに工具を要せず、組み立て性を向上できる。また回転軸５をコンテナ本体１と一体になるように合成樹脂にて形成でき、従来のような金属のピンがないためにリサイクル再生使用が容易になる。
【０００６】
【発明の実施の形態】
蓋付きコンテナＡは図１乃至図５に示すように上面を開口せる容器状のコンテナ本体１とコンテナ本体１の上面の開口を開閉するために上下に回動自在に装着した蓋２とで主体が構成され、全体が合成樹脂にて形成されている。コンテナ本体１は図６乃至図９に示すように底壁１ａと一対の側壁１ｂと一対の端壁１ｃとで上面を開口せる角型の容器状に形成されている。側壁１ｂと端壁１ｃは上に行く程外に広がるように傾斜している。底壁１ａの上面は周縁を除いて緩やかな曲面の凸曲面１０を長手方向に波状になるように設けてあり、長手方向に隣合う凸曲面１０間が谷部１１となっている。凸曲面１０のある部分の周囲は谷部１１と面一になる平坦面１２となっており、底壁１ａの隅部で平坦面１２には上下に貫通するように水抜き孔１３を穿孔してある。底壁１ａの下面にはリブ１４を設けてある。側壁１ｂと端壁１ｃの間のコーナー部の外面は上下方向に亙って外方に突出する凸面部１５を上下全長に亙るように設けてあり、側壁１ｂにも間隔を隔てて複数の（本例の場合２個）凸面部１６を上下全長に亙るように設けてある。凸面部１５と凸面部１６との間及び隣合う凸面部１６間には上下全長に亙るように内方に凹没する凹面部１７を設けてある。上記凸面部１５，１６は上から下に向けて徐々に幅が狭くなるようにテーパーを有しており、凹面部１７は上から下に向けて徐々に幅が広くなるようにテーパーを有している。
【０００７】
コンテナ本体１の側壁１ｂの上端及び端壁１ｃの上端には外方に突出するようにフランジ３を一体に設けてある。側壁１ｂの上端のフランジ３には長手方向に適当な間隔を隔てて複数個の（本例の場合４個）切り欠き４を設けてあり、この切り欠き４には夫々架設するように回転軸５を一体に設けてある。つまり、切り欠き４に設けられる回転軸５が合成樹脂製であり、合成樹脂製のコンテナ本体１と一体になっている。この回転軸５を設ける部分ではフランジ３は断面略Ｈ字状になっており、強度的に強固になるように補強してある。またコンテナ本体１の凸面部１５のある部分でフランジ３の外周から図１８に示すように下方に外周壁１８を垂下してあり、外周壁１８と凸面部１５とで上部に二重壁部を形成している。外周壁１８と凸面部１５の間の両側には側面板１９を一体に設けてあり、側面板１９の下端部が外周壁１８より下方に突出している。この側面板１９の下端はコンテナ本体１を上下に積み重ねたとき、下に位置するコンテナ本体１のフランジ３の上面に載るストッパー部となる。外周壁１８の下端縁は後述する蓋２を開いたとき蓋２を止めるために係止する被係止縁２０となっている。コンテナ本体１のフランジ３の上面には略全周に亙るように凹溝２１を設けてある。端壁１ｃの幅方向の中央には図１９に示すように取手部２２を設けてあり、取手部２２の下面側の角部には断面円弧状の面取り２３を設けてある。この取手部２２の部分で凹溝２１内には取手部２２を補強するリブ２４を設けてある。
【０００８】
蓋２はコンテナ本体１の上面の開口を２枚で覆う大きさであり、２枚の蓋２は図９、図１０に示すように略矩形状に形成されている。蓋２の長手方向と平行な一対の端縁のうち、一方の端縁から軸受部６を一体に突設してあり、他方の端縁から重ね突片２５を一体に突設してある。軸受部６は蓋２の端縁の長手方向に等間隔に複数個（本例の場合４個）並列に設けてある。この軸受部６は図１１乃至図１４に示すように一対の軸受半体６ａ，６ｂとヒンジ部６ｃとで構成され、軸受半体６ａと軸受半体６ｂとの間にヒンジ部６ｃが設けられている。つまり、軸受半体６ａは蓋２に直接一体に繋がっており、軸受半体６ａにヒンジ部６ｃを介して軸受半体６ｂを設けてある。軸受半体６ａ，６ｂには夫々軸受凹所２６を設けてある。また軸受半体６ａには係止突起７を設けてあり、軸受半体６ｂを軸受半体６ａに重ねたとき係止突起７が係止する係止孔８を軸受半体６ｂに設けてある。係止突起７には軸受半体６ａの幅方向の中央に位置する主係止突起７ａと両側に位置する補助係止突起７ｂとがある。主係止突起７ａには主係止縁２７ａを設けてあり、補助係止突起７ｂには補助係止縁２７ｂを設けてあり、主係止縁２７ａと補助係止縁２７ｂとは直交している。係止孔８も中央に位置する主係止孔８ａと両側に位置する補助係止孔８ｂとがあり、主係止孔８ａに主係止突起７ａが係止するようになっており、補助係止孔８ｂに補助係止突起７ｂが係止するようになっている。この主係止孔８ａには主係止縁２７ａに係止し得る主被係止縁２８ａを設けてあり、補助係止孔８ｂには補助係止縁２７ｂに係止し得る補助被係止縁２８ｂを設けてあり、主被係止縁２８ａと補助被係止縁２８ｂとは直交している。
【０００９】
蓋２の他方の端縁から突出するように設けられる重ね突片２５は略半円状になっており、本例の場合、重ね突片２５は長手方向に等間隔に複数個（本例の場合４個）設けてある。この各重ね突片２５に隣接するように略半円状の重ね凹部３０を設けてあり、隣接する蓋２の重ね突片２５を重ね合わせることができるようになっている。蓋２の上面の中央には矩形状のラベル貼着用凹部３１を凹設してあり、ラベル貼着用凹部３１には周囲の４箇所に指掛け凹部３２を凹設してある。また蓋２の上面の左右には突部３３を設けてあり、この突部３３にはコンテナ本体１の外周壁１８の下端の被係止縁２０に係止する係止部９を設けてある。
【００１０】
コンテナ本体１の上面開口に２枚の蓋２を開閉自在に取り付けるあたっては次のように行われる。蓋２の軸受部６の軸受半体６ａ，６ｂを開いた状態で図１５（ａ）に示すように各軸受部６をコンテナ本体１の切り欠き４に夫々対応させ、切り欠き４と回転軸５との間に図１５（ｂ）に示すように軸受部６を挿通し、この状態でヒンジ部６ｃで軸受半体６ａに対して軸受半体６ｂを曲げ、回転軸５を挟むように軸受半体６ｂを軸受半体６ａに重ね合わせ、この状態、図１５（ｃ）や図１６に示すように係止突起７としての主係止突起７ａと補助係止突起７ｂを係止孔８としての主係止孔８ａや補助係止孔８ｂに挿通し、主係止縁２７ａ及び補助係止縁２７ｂを主被係止縁２８ａ及び補助被係止縁２８ｂに係止する。このようにして一対の蓋２をコンテナ本体１の上縁に回動自在に取り付けて一対の蓋２を開閉自在にするが、上記のように蓋２を回転自在に取り付けることで、コンテナ本体１に一体に設けた回転軸５に簡単に軸受部６を回動自在に取り付けることができて従来のように別途ピンを取り付けたりする必要がなくて組み立て性を向上できる。また別途ピンを用いるもののように金属部品を一切用いることがないために蓋付きコンテナＡ全体を合成樹脂で形成してリサイクル再生使用が容易になる。また上記のように一対の軸受半体６ａ，６ｂを重ねたとき、主係止突起７ａと補助係止突起７ｂが主係止孔８ａと補助係止孔８ｂに係止するので軸受半体６ａ，６ｂが強固に結合される。このとき主係止縁２７ａと主被係止縁２８ａとが係止すると共に補助係止縁２７ｂと補助被係止縁２８ｂが係止するが、この係止方向が直交しているために、どのような外力でも係止が外れないように確実に係止することができる。
【００１１】
また回転軸５に軸受部６を回動自在に取り付ける部分ではフランジ３が断面Ｈ字状になっているためにこの部分を強固にできて確実に蓋２を取り付けることができる。上記のように構成せる蓋付きコンテナＡは蓋２を開いた状態で、上に位置する蓋付きコンテナＡの下部を下に位置する蓋付きコンテナＡに挿入するように積み重ねることができるが、このとき上に位置する蓋付きコンテナＡの側面板１９の下端が下に位置する蓋付きコンテナＡのフランジ３の上面に載って安定よく積み重ねることができる。また蓋付きコンテナＡの蓋２を開いた状態では蓋２の上面がコンテナ本体１の側壁１ｂの外面に沿うように垂れ下がるが、この状態で図２１に示すように蓋２の上面に設けた突部３３の係止部９が外周壁１８の下端の被係止縁２０に係止して蓋２がバタつかないように止められる。このようにすることで、蓋２を開いた状態で蓋付きコンテナＡをローラコンベアに乗せて搬送しているとき蓋２が揺れによりバタつかなく、蓋２がコンベアガイド等に接触して破損するのを防止できる。また蓋２を開いた状態の蓋付きコンテナＡを並べた状態で隣合う蓋付きコンテナＡの間に位置する蓋付きコンテナＡを持ち上げて取り出すとき、蓋２が隣接するものに引っ掛かることがなく蓋２による支障を生じない。
【００１２】
また上記のように構成せる蓋付きコンテナＡはコンテナ本体１の四隅の外面側に外周壁１８や側面板１９を設けて二重壁構造にしてあるために四隅を補強できて落下等の衝撃で破損するのを防止できる。また図２０に示すようにコンテナ本体１の凸面部１５，１６の下端の角部には断面円弧状の面取り３４を設けてあるが、この面取り３４のアールＲ１は５〜１０ｍｍと大きくしてある。凹面部１７の下端の角部のアールＲ２は３ｍｍ程度と小さくなっている。このように凸面部１５，１６の下端の角に円弧状の面取り３４を設けてあると、蓋付きコンテナＡを横方向に引きずるとき容易に引きずることができる。また蓋付きコンテナＡを手で持ち上げて運ぶときにも円弧状の面取り３４が運搬人の腹部に当たることで違和感がなくなる。また上記のように構成せる蓋付きコンテナＡは端壁１ｃの幅方向の中央には断面略Ｕ字状の取手部２２を設けてあるが、取手部２２の下面側の角部には図２２（ａ）に示すように断面円弧状の面取り２３を設けてあるために合成樹脂で形成するときバリができたりすることなく、取手部２２を持つとき取手部２２に対しての指当たりがよい。また従来の取手部２２′は図２２（ｂ）に示すように下端に肉盛り部２２ａ′を有する形状にしてあったために蓋付きコンテナＡが隣接するように並べたとき取手部２２の肉盛部２２ａ′同士が重なるように干渉し合うことが生じることがあったが、本発明の場合、取手部２２が断面Ｕ字状のために互いに干渉し合うことがなくなる。
【００１３】
蓋２の上面の中央には図２３に示すように矩形状のラベル貼着用凹部３１を凹設してあり、このラベル貼着凹所３１には内容物を表示するラベルが粘着のような手段で貼着されている。このときラベル貼着用凹部３１の底面が梨地にしてあり、ラベル貼着用凹所３１にラベルを粘着のような手段で粘着しても剥がすとき剥がしやすい。またラベル貼着用凹部３１には周囲の４箇所に指掛け凹部３２を凹設してあり、この指掛け凹部３２の部分ではラベルが引っ付かずラベルが剥がしやすい。またラベルを剥がすとき指を指掛け凹部３２に入れることができてラベルが剥がしやすい。底壁１ａの上面は周縁を除いて緩やかな曲面の凸曲面１０を長手方向に波状になるように設けてあり、長手方向に隣合う凸曲面１０間が谷部１１となっているが、このように凸曲面１０が波状になっていると、凸曲面１０に結露水が滞留しにくくなると共に結露水が滞留しても拭き取りがしやすい。また内容物が郵便封筒のようなものであっても下端を凸曲面１０間の谷部１１に引っ掛けることで倒れないように立て置きすることができ、横ずれ転倒を防止して収納が容易にできる。また内容物が郵便葉書等のようなものでも、凸曲面１０にて底面に静電付着するのを防止でき、取り出しが容易になる。また結露水が発生しても、凸面部１０間の谷部１１から周囲の平坦面１２に流れ、水抜き孔１３から外部に排出される。またコンテナ本体１の底壁１ａに凸曲面１０を波状に連続するように設けたことで底壁１ａが補強され、外底面の不必要な補強リブを削除してコンテナ本体１の軽量化を図ることができる。また上記のように不必要な補強リブを削除したことより、洗浄が容易にできると共に洗浄時の水切れがよくなる。また洗浄するとき水圧洗浄して熱風乾燥（７０〜８０℃）するが、水切れがよいために乾燥が容易にできて底壁１ａの軟化を防止できる。また上記のように構成せる蓋付きコンテナＡは一対の蓋２を閉塞したとき各重ね突片２５が隣接の蓋２の重ね凹部３０に重なり、隣合う蓋２が隙間なく突き合わせられる。
【００１４】
【発明の効果】
本発明の蓋付きコンテナは、上面を開口せる容器状のコンテナ本体の上縁に回転軸への軸受け部の取付けにより蓋を回動自在に装着した合成樹脂製のコンテナにおいて、コンテナ本体の上縁のフランジに切り欠きを設けると共にこの切り欠きにコンテナ本体と一体となるように回転軸を架設し、一対の軸受け半体をヒンジ部を介して一体に連結した軸受け部を蓋の端縁から一体に延出し、上記一対の軸受け半体の一方に主係止突起と補助係止突起とを設けると共に他方に主係止孔と補助係止孔とを設け、ヒンジ部を介した一対の軸受半体で合成樹脂製の回転軸を囲むように重ね合わせて上記主係止突起の主係止縁を主係止孔に係止すると共に補助係止突起の補助係止縁を補助係止孔に係止しているので、一対の軸受半体を展開した状態で軸受部を回転軸をくぐるように挿通し、ヒンジ部で折り曲げて回転軸を挟むように一対の軸受半体を重ね合わせると共に主係止突起の主係止縁を主係止孔に係止すると共に補助係止突起の補助係止縁を補助係止孔に係止して軸受部を回転軸の回りに回転自在に強固且つ確実に装着することができ、また、主係止縁と補助係止縁とが直交していることで、どのような外力でも係止が外れないように確実に係止することができるものであって、従来のように別途ピンを用いたりすることなく蓋を回動自在に装着することができて部品点数を削減できると共に組み立てに工具を要せず、組み立て性を向上できるものであり、また回転軸をコンテナ本体と一体になるように合成樹脂にて形成でき、従来のような金属のピンがないためにリサイクル再生使用が容易になるものである。
【図面の簡単な説明】
【図１】本発明の実施の形態の一例の蓋付きコンテナを示す斜視図である。
【図２】同上の蓋を閉じた状態の斜視図である。
【図３】（ａ）は同上の平面図、（ｂ）は同上の正面図である。
【図４】（ａ）は同上の側面図、（ｂ）は同上の底面図である。
【図５】（ａ）は図３（ａ）のＢ−Ｂ線断面図、（ｂ）は図３（ｂ）のＣ−Ｃ線断面図である。
【図６】同上のコンテナ本体を示す平面図である。
【図７】（ａ）は図６のＤ−Ｄ線断面図、（ｂ）は図６のＥ−Ｅ線断面図である。
【図８】（ａ）は図６のＦ−Ｆ線断面図、（ｂ）は図６のＧ−Ｇ線断面図、（ｃ）は図６のＨ−Ｈ線断面図である。
【図９】同上の蓋を示し、（ａ）は平面図、（ｂ）は正面図である。
【図１０】（ａ）は蓋の底面図、（ｂ）は図９（ａ）のＩ−Ｉ線断面図である。
【図１１】同上の軸受部の展開した状態を示し、（ａ）は平面図、（ｂ）は側面図である。
【図１２】（ａ）は図１１（ａ）のＪ−Ｊ線断面図、（ｂ）は図１１（ａ）のＫ−Ｋ線断面図、（ｃ）は図１１（ａ）のＬ−Ｌ線断面図、（ｄ）は軸受部の組み立て状態の断面図である。
【図１３】（ａ）は図１１（ａ）のＭ−Ｍ線断面図、（ｂ）は（ａ）の組み立て状態の断面図である。
【図１４】（ａ）は図１１（ａ）のＮ−Ｎ線断面図、（ｂ）は（ａ）の組み立て状態の断面図である。
【図１５】（ａ）（ｂ）（ｃ）は軸受部を回転軸に回転自在に取り付ける状態を説明する斜視図である。
【図１６】同上の軸受部を回転軸に回転自在に取り付けた部分の断面図である。
【図１７】同上のコンテナ本体の底面を示す斜視図である。
【図１８】同上のコンテナ本体の隅部の上部を示す一部省略斜視図である。
【図１９】（ａ）は同上の取手部の一部切欠斜視図、（ｂ）は取手部に指を掛けた状態の断面図である。
【図２０】（ａ）（ｂ）は同上のコンテナ本体の下部の面取り部を説明する斜視図である。
【図２１】同上の蓋を開いて蓋を係止した状態を説明する断面図である。
【図２２】同上の取手部の動作を説明する断面図で、（ａ）は本発明のものであり、（ｂ）は従来例の問題を説明するものである。
【図２３】同上のラベル貼着凹部を示し、（ａ）は斜視図、（ｂ）は断面図である。
【符号の説明】
Ａ  蓋付きコンテナ
１  コンテナ本体
２  蓋
５  回転軸
６  軸受部
６ａ  軸受半体
６ｂ  軸受半体
６ｃ  ヒンジ部
７  係止突起
８  係止孔
【図１】
0004388171.tif 000002
【図２】
0004388171.tif 000003
【図３】
0004388171.tif 000004
【図４】
0004388171.tif 000005
【図５】
0004388171.tif 000006
【図６】
0004388171.tif 000007
【図７】
0004388171.tif 000008
【図８】
0004388171.tif 000009
【図９】
0004388171.tif 000010
【図１０】
0004388171.tif 000011
【図１１】
0004388171.tif 000012
【図１２】
0004388171.tif 000013
【図１３】
0004388171.tif 000014
【図１４】
0004388171.tif 000015
【図１５】
0004388171.tif 000016
【図１６】
0004388171.tif 000017
【図１７】
0004388171.tif 000018
【図１８】
0004388171.tif 000019
【図１９】
0004388171.tif 000020
【図２０】
0004388171.tif 000021
【図２１】
0004388171.tif 000022
【図２２】
0004388171.tif 000023
【図２３】
0004388171.tif 000024